(57)【要約】【課題】使用者が自由に設定変更可能な第１パスワードにより使用者の利便性を維持しつつ、保守者が設定する第２パスワードにより、旧使用者が設定した第１パスワードを知らない新規使用者による電話機使用を可能とする【解決手段】外線と内線とを収容する主装置と、内線に接続される内線電話機とからなり、内線電話機から登録される第１のパスワードと主装置に登録される第２のパスワードとを保持し、内線電話機から第１のパスワードが入力されたとき、内線電話機を規制状態から使用状態に遷移し、第２のパスワードが入力されたとき、第１のパスワードをクリアする電話システム、またはパスワードにより規制状態と使用状態とを入れ替え、第１のパスワードと第２のパスワードとを保持可能で、第１のパスワードが入力されたとき、規制状態から使用状態に遷移し、第２のパスワードが入力されたとき、第１のパスワードをクリアする電話機により、達成できる。【選択図】図４
2008109282.tif 000002
【特許請求の範囲】
【請求項１】
外線と内線とを収容する主装置と、前記内線に接続される内線電話機とからなる電話システムにおいて、
前記内線電話機から登録される第１のパスワードと前記主装置に登録される第２のパスワードとを保持し、
前記内線電話機から前記第１のパスワードが入力されたとき、前記内線電話機を規制状態から使用状態に遷移し、
前記第２のパスワードが入力されたとき、前記第１のパスワードをクリアすることを特徴とする電話システム。
【請求項２】
請求項１に記載の電話システムであって、
前記主装置はパソコン等の外部機器との接続インターフェースを具備し、外部機器により前記第２のパスワード参照させる手段と、前記第２のパスワードの設定を任意に変更する手段とを有することを特徴とする電話システム。
【請求項３】
パスワードにより規制状態と使用状態とを入れ替え、第１のパスワードと第２のパスワードとを保持可能な電話機であって、
前記第１のパスワードが入力されたとき、前記規制状態から前記使用状態に遷移し、前記第２のパスワードが入力されたとき、前記第１のパスワードをクリアすることを特徴とする電話機。
【発明の詳細な説明】
【技術分野】
【０００１】
本発明は電話システムおよび電話機に係り、特に不正使用を防止し、しかもパスワードの更新の容易な電話システムおよび電話機に関する。
【背景技術】
【０００２】
電話機の不正使用（不正な発信による課金、発着信履歴や電話帳データの漏洩、必要以上の長時間使用）を防止するために、その電話機が個々に内蔵したパスワードを入力した後、利用させる方法がある。特許文献１にはこの方法を適用したボタン電話装置が記載されている。しかし、特許文献１に記載された技術では利用者が自由にパスワードを設定できるため、異動、退社などで電話装置の利用者が変更になった場合、新規利用者が使用しようとしても旧使用者が設定したパスワードを知らないため使うことが出来ない状況が発生する。
【０００３】
【特許文献１】特開昭６０−１０２０９０号公報
【発明の開示】
【発明が解決しようとする課題】
【０００４】
本発明の目的は、上述した問題点を解決するために、使用者が自由に設定変更可能な第１パスワードにより使用者の利便性を維持しつつ、保守者が設定する第２パスワードにより、旧使用者が設定した第１パスワードを知らない新規使用者による電話機使用を可能とすることにある。
【課題を解決するための手段】
【０００５】
上述した課題は、外線と内線とを収容する主装置と、内線に接続される内線電話機とからなり、内線電話機から登録される第１のパスワードと主装置に登録される第２のパスワードとを保持し、内線電話機から第１のパスワードが入力されたとき、内線電話機を規制状態から使用状態に遷移し、第２のパスワードが入力されたとき、第１のパスワードをクリアする電話システムにより、達成できる。
【０００６】
また、パスワードにより規制状態と使用状態とを入れ替え、第１のパスワードと第２のパスワードとを保持可能で、第１のパスワードが入力されたとき、規制状態から使用状態に遷移し、第２のパスワードが入力されたとき、第１のパスワードをクリアする電話機により、達成できる。
【発明の効果】
【０００７】
本発明によれば、電話機のユーザが電話機にパスワード自由に設定でき、しかもシステム保守者がユーザのパスワードの解除（クリア）ができる。このため、電話機のユーザが変わった場合にも、パスワードの更新が容易である。
【発明を実施するための最良の形態】
【０００８】
以下本発明の実施の形態について、実施例を用い図面を参照しながら説明する。なお、以下の実施例では、主装置と内線電話機とからなる電話システムを説明するが、家庭向け一般電話機にも応用できる。この場合、一般電話機に複数のパスワードを持たせる。
【実施例１】
【０００９】
実施例１を図１から図５を参照して説明する。ここで、図１は電話システムのブロック図である。図２は主装置の機能ブロック図である。図３は内線電話機の機能ブロック図である。図４は内線電話機の動作を説明するフローチャートである。図５は主装置の動作を説明するフローチャートである。
【００１０】
図１において、電話システム５００は、ＰＳＴＮ（Public Switched Telephone Network）３に接続された主装置１００と、主装置１００に内線回線４を介して接続/収容されたでｎ台の電話機２００と、主装置１００に接続されたパソコン５とから構成される。
【００１１】
主装置１００と電話機２００とを接続することで、電話機２００間の内線通話が可能である。主装置１００にＰＳＴＮ３が接続されていることで、電話機２００からの外線通話が可能である。
【００１２】
ここで、ＰＳＴＮ３は主装置１００に収容する外線であり、アナログ回線、ＩＳＤＮ回線またはＩＰ（Internet Protocol）網でも良い。また、パソコン５は主装置１００のデータ設定を変更するものだが、必要なときだけ接続するようにしても良い。
なお、電話システム５００は、後述する実施例２の主装置３００と内線電話４００との組み合わせでも構成できる。
【００１３】
図２において、主装置１００は、内線電話機２００からのデータを受信および内線電話機２００へデータを送信するデータ送/受信部１７０と、主装置１００の全体を制御する制御部１１０と、パソコンなどの外部機器との接続を行う外部インターフェース部１２０と、外線を接続する回線接続部１６０と、第２パスワードを記憶する第２パスワード記憶部１３０と、内線電話機２００から受信したパスワードデータを第２パスワードと比較する第２パスワード比較部１４０と、第２パスワード記憶部１３０に記憶する／された第２パスワードを設定／変更するための第２パスワード設定／変更部１５０とから構成される。
【００１４】
制御部１１０は、内線電話機２００からの操作によって、当該内線電話機２００を使用禁止状態にする。なお、使用禁止状態とは、発着信の規制等であり、内線電話機２００は、使用禁止状態であっても、パスワード入力は可能である。また、制御部１１０は、第２パスワード比較部の比較結果に基づいて、第２パスワードを送信した内線電話機２００を、使用禁止状態から使用許可状態に、または使用許可状態から使用禁止状態に遷移させる。
【００１５】
主装置１００の保守者は、外部インターフェース部１２０に接続されたパソコン５を操作することで第２パスワード設定／変更部１５０にて第２パスワード記憶部１３０に第２パスワードを設定することと、設定後も第２パスワードを変更することができる。
【００１６】
図３において、内線電話機２００は、主装置１００とのデータを送信および受信するデータ送／受信部２１０と、内線電話機２００の通話を制御する通話制御部２２０と、内線電話機２００の全体を制御する全体制御部２３０と、第２パスワードを記憶する第２パスワード記憶部２７０と、第１パスワードを記憶する第１パスワード記憶部２７１と、電話番号入力用のダイヤルボタン２４０と、特殊操作用の機能ボタン２５０と、ダイヤルボタン２４０と機能ボタン２５０から入力したボタンデータをパスワードとして判別するパスワード入力部２９１と、パスワードと第１パスワード記憶部に記憶した第１パスワードを比較する第１パスワード比較部２６０と、パスワードと第２パスワード記憶部に記憶した第２パスワードを比較する第２パスワード比較部２９０と、ダイヤルボタンまたは機能ボタンによる入力により第２パスワードを変更または設定する第２パスワード設定／変更部２８０と、ダイヤルボタンまたは機能ボタンによる入力により第１パスワードを変更および設定する第１パスワード設定／変更部２８１とから構成される。
【００１７】
ここで、第１パスワードと第２パスワードは、不正使用を防止するために機能をロックされた内線電話機２００の、ロックの解除に用いる。第１パスワードは、内線電話機２００のユーザが設定するもので、ダイヤルボタン数桁だけの比較的簡単なパスワードである。一方、第２パスワードは、保守者が設定するもので、ダイヤルボタンと機能ボタンとを組み合わせた複雑なパスワードである。
【００１８】
なお、内線電話機２００は、ダイヤルボタン２４０と機能ボタン２５０とを用いて、第２パスワードを設定／変更できるが、第２パスワード設定／変更部２８０を具備せず、主装置１００からの受信した第２パスワードを第２パスワード記憶部２７０が保持しても良い。
【００１９】
図４を参照して、内線電話機２００の動作を以下説明する。以下の説明では、保守者が、内線電話機２００のダイヤルボタン２４０および機能ボタン２５０を予め決められた手順でボタン操作する。これにより、第２パスワード設定/変更部２８０は、第２パスワードを第２パスワード記憶部２７０に設定されていることを、前提とする。
【００２０】
第１パスワード入力待ち表示中(Ｓ００１)に、内線電話機２００のユーザが、予め決められた手順によりパスワードを入力すると、内線電話機２００は、これを検出し(Ｓ００２：ＹＥＳ)、第１パスワード記憶部２７１から第１のパスワードを読み出す（Ｓ００３）。内線電話機２００は、読みだされた第１のパスワードが、クリア状態でないか（第１のパスワードが登録されている）か判定し（Ｓ００４）、ＮＯなら、入力されたパスワードを第１のパスワードとして登録し（Ｓ００５）、ステップ００７に遷移する。
【００２１】
ステップ００４でＹＥＳのとき、内線電話機２００は、入力されたパスワードが第１のパスワードと一致しているかパスワード比較部２６０にて比較し(Ｓ００６)、一致した場合（ＹＥＳ）、第２パスワード記憶部２７０から第２パスワードを読み出す(Ｓ００７)。内線電話機２００は、これをデータ送／受信部２１０にて主装置１００に通知する(Ｓ００８)。
【００２２】
内線電話機２００は、主装置１００からの応答を待ち（Ｓ００９）、応答が使用可能か判定する（Ｓ０１０）。使用不可なら、内線電話２００と主装置１００とが持つ第２パスワードが不一致なので、内線電話機２００は、一定時間、保守要を表示して（Ｓ０１１）、終了する。ステップ０１０で使用可なら内線電話機２００は、一定時間パスワード登録済を表示して(Ｓ０１２)、終了する。
【００２３】
ステップ００６で不一致の場合（ＮＯ）、内線電話機２００は、第２パスワードを第２パスワード記憶部２７０から読み出し(Ｓ０１３)、一致しているか第２パスワード比較部２９０にて比較する(Ｓ０１４)。一致した場合（ＹＥＳ）、内線電話機２００は、第１パスワードをクリアする(Ｓ０１５)。内線電話機２００は、一定時間、パスワードクリアの表示を行い(Ｓ０１６)、待機状態に遷移する。
【００２４】
ステップ０１４で不一致の場合（ＮＯ）、内線電話機２００は、一定期間パスワード間違いを表示し(Ｓ０１７)、待機状態に遷移する。
【００２５】
図５において、主装置１００は、第２パスワードの受信を待ちうけ（Ｓ１００）、内線電話機２００−１が送信した第２パスワードをデータ送／受信部１７０で受信すると(Ｓ１００：ＹＥＳ)、制御部１１０から第２パスワード比較部１４０にパスワードが通知される。第２パスワード比較部１４０は、第２パスワード記憶部１３０から、内線電話機２００−１の第２パスワードを読み出し(Ｓ１０１)、一致しているパスワードが登録されているか判断する(Ｓ１０２)。第２パスワード比較部１４０は、一致または不一致を制御部１１０に通知する。制御部１１０は、第２パスワードが一致した場合（Ｓ１０２：ＹＥＳ）、その後内線電話機２００−１からデータ送/受信部１７０にて受信するデータを受け付け内線電話機２００−１の状態を使用許可状態に遷移する(Ｓ１０３)。制御部１１０は、使用可の通知を第２パスワードを送信した内線電話機２００−１に通知して（Ｓ１０４）、終了する。
【００２６】
ステップ１０２で不一致の場合（ＮＯ）、制御部１１０は、使用不可の通知を第２パスワードを送信した内線電話機２００−１に通知して（Ｓ１０５）、終了する。この結果、当該内線電話機２００−１からデータ送/受信部１７０にて受信するデータを受け付けず内線電話機２００−１の使用不可を継続する。また回線接続部１６０からの着信を内線電話機２００−１に通知しないことを継続する。
【００２７】
上述した実施例では、第２パスワードの入力により、第１パスワードをクリアした後、一旦第１パスワード入力待ちに戻したが、そのまま使用許可状態に遷移しても良い。また、第２パスワードの入力を内線電話機２００−１から行ったが、主装置１００から内線電話機２００−１に第２パスワードを送信し、第１パスワードをクリアしても良い。パスワードのクリアとは、００００、１１１１のように簡単で、パスワードとしての登録不可の文字列とすることであるが、これらに限られない。
【００２８】
本実施例に拠れば、電話システムは、ユーザ用の第１パスワードと保守者用の第２パスワードとがあるので、ユーザが第１パスワードを設定したまま異動した場合にも、第２パスワードを用いて新たなユーザが新たな第１パスワードを設定できる。
【実施例２】
【００２９】
実施例２を図６から図９を参照して説明する。ここで、図６は主装置の機能ブロック図である。図７は内線電話機の機能ブロック図である。図８は内線電話機の動作を説明するフローチャートである。図９は主装置３００の動作を説明するフローチャートである。なお、前述したように図１は実施例２にも共通な図である。
【００３０】
図６において、主装置３００は、内線電話機４００からのデータを受信および内線電話機４００へデータを送信するデータ送/受信部３０１と、主装置３００の機能全体を制御する制御部３０２と、パソコンなどの外部機器との接続を行う外部インターフェース部３０４と、外線を接続する回線接続部３０３と、第２パスワードを記憶する第２パスワード記憶部３０５と、内線電話機４００から受信したパスワードを第２パスワードと比較する第２パスワード比較部３０６と、第２パスワード記憶部３０５に記憶する／された第２パスワードを設定／変更するための第２パスワード設定／変更部３０７と、第１パスワードを記憶する第１パスワード記憶部３０８と、内線電話機４００から受信したパスワードを第１パスワードと比較する第１パスワード比較部３０９と、第１パスワード記憶部３０８に記憶する／された第１パスワードを設定／変更するための第１パスワード設定／変更部３１０とから構成される。
【００３１】
外部インターフェース部３０４に接続されたパソコン５を操作することで第２パスワード設定/変更部３０７にて第２パスワード記憶部３０５に第２パスワードを設定することと、設定後も第２パスワードを変更する。また第１パスワード設定/変更部３１０にて第１パスワード記憶部３０９に第１パスワードを設定することと、設定後も第１パスワードを変更する。
【００３２】
制御部３０２は、内線電話機４００からの操作によって、当該内線電話機４００を使用禁止状態にする。なお、使用禁止状態とは、発着信の規制等であり、内線電話機４００は、使用禁止状態であっても、パスワード入力は可能である。また、制御部３０２は、第１パスワード比較部の比較結果に基づいて、第１パスワードを送信した内線電話機を、使用禁止状態から使用許可状態に、または使用許可状態から使用禁止状態に遷移させる。また、制御部３０２は、第２パスワード比較部の比較結果に基づいて、第２パスワードを送信した内線電話機の第１パスワードをクリアする。
【００３３】
図７において、内線電話機４００は、主装置３００とのデータを送信および受信するデータ送/受信部４０１と、内線電話機４００の通話を制御する通話制御部４０２と、内線電話機４００の全体を制御する全体制御部４０３と、ダイヤルボタン４０４と、機能ボタン４０５とから構成される。
【００３４】
図６、図７と図３、図４との対比から明らかなように、実施例２の電話システムは主装置３００にパスワード管理機能を集約している点が、実施例１との違いである。
【００３５】
図８において、内線電話機４００のユーザが、パスワード入力待ち表示中(Ｓ２０１)に内線電話機４００のダイヤルボタン４０４および機能ボタン４０５を予め決められた手順でボタン操作することによりパスワードを入力すると、内線電話４００は、それを検出して(Ｓ２０２：ＹＥＳ)、このダイヤルによるパスワードデータをデータ送／受信部４０１から主装置３００に通知する(Ｓ２０３)。内線電話４００は、主装置３００からの応答を待ち（Ｓ２０４）、主装置３００からの応答を受信すると（Ｓ２０４：ＹＥＳ）、通知されたパスワードの正／誤／クリアのいずれかの結果を表示し(Ｓ２０５)、終了する。
【００３６】
図９において、主装置３００は、内線電話機４００−１からのパスワード送信を待ちうけ（Ｓ４０１）、パスワードをデータ送/受信部３０１で受信すると(Ｓ４０１：ＹＥＳ)、制御部３０２から第２パスワード比較部３０６にパスワードが通知される。第２パスワード比較部３０６は、第２パスワード記憶部３０５から内線電話機４００−１の第２パスワードを読み出し(Ｓ４０２)、一致しているパスワードが登録されているか判断する(Ｓ４０３)。その結果、一致または不一致を制御部３０２に通知する。受信したパスワードが第２パスワードに一致した場合、制御部３０２は、第１パスワードをクリアする(Ｓ４０４)。主装置３００は、内線電話機４００−１にパスワードクリア通知を送信し（Ｓ４０５）、終了する。
【００３７】
一方、ステップ４０３で一致しなかったとき（ＮＯ）、制御部３０２は、受信したパスワードを第１パスワード比較部３０９に転送する。第１パスワード比較部３０９は、第１パスワード記憶部３０８から内線電話機４００−１の第１パスワードを読み出し(Ｓ４０６)、一致しているパスワードが登録されているか判断する(Ｓ４０７)。その結果、一致または不一致を制御部３０２に通知する。受信したパスワードが第１パスワードに一致した場合、主装置３００は、内線電話機４００−１にパスワード正を通知を送信し（Ｓ４０８）、内線電話機４００−１を使用許可状態に遷移して（Ｓ４０９）、終了する。
【００３８】
ステップ４０７で一致しなかったとき（ＮＯ）、制御部３０２は、第１パスワードがクリアされているか判定する（Ｓ４１０）。ＹＥＳならば受信したパスワードを内線電話機４００−１の第１パスワードとして登録し（Ｓ４１１）、ステップ４０８に遷移する。
ステップ４１０でＮＯのとき、主装置３００は、内線電話機４００−１にパスワード誤通知を送信し（Ｓ４１２）、終了する。
【００３９】
上述した実施例では、第２パスワードの入力により、第１パスワードをクリアした後、一旦第１パスワード入力待ちに戻したが、図９の丸付き２から丸付き１へ、そのまま使用許可状態に遷移しても良い。この場合、保守者が使用を中止したことによって、第１パスワード待ちの状態に遷移させればよい。また、第２パスワードの入力を内線電話機４００−１から行ったが、主装置３００に接続したパソコンで、第１パスワードをクリアしても良い。
【００４０】
本実施例に拠れば、電話システムは、ユーザ用の第１パスワードと保守者用の第２パスワードとがあるので、ユーザが第１パスワードを設定したまま異動した場合にも、第２パスワードを用いて新たなユーザが新たな第１パスワードを設定できる。
【図面の簡単な説明】
【００４１】
【図１】電話システムのブロック図である。
【図２】主装置の機能ブロック図である。
【図３】内線電話機の機能ブロック図である。
【図４】内線電話機の動作を説明するフローチャートである。
【図５】主装置の動作を説明するフローチャートである。
【図６】主装置の機能ブロック図である。
【図７】内線電話機の機能ブロック図である。
【図８】内線電話機の動作を説明するフローチャートである。
【図９】主装置の動作を説明するフローチャートである。
【符号の説明】
【００４２】
３…ＰＳＴＮ、４…内線回線、５…パソコン、１００…主装置、１１０…制御部、１２０…外部インターフェース部、１３０…第２パスワード記憶部、１４０…第２パスワード比較部、１５０…第２パスワード設定／変更部、１６０…回線接続部、１７０…データ送／受信部、２００…内線電話機、２１０…データ送／受信部、２２０…通話制御部、２３０…全体制御部、２４０…ダイヤルボタン、２５０…機能ボタン、２６０…第１パスワード比較部、２７０…第２パスワード記憶部、２７１…第１パスワード記憶部、２８０…第２パスワード設定／変更部、２８１…第１パスワード設定／変更部、２９０…第２パスワード比較部、２９１…パスワード入力部、３００…主装置、３０１…データ送／受信部、３０２…制御部、３０３…回線接続部、３０４…外部インターフェース部、３０５…第２パスワード記憶部、３０６…第２パスワード比較部、３０７…第２パスワード設定／変更部、３０８…第１パスワード記憶部、３０９…第１パスワード比較部、３１０…第１パスワード設定／変更部、４００…内線電話機、４０１…データ送／受信部、４０２…通話制御部、４０３…全体制御部、４０４…ダイヤルボタン、４０５…機能ボタン、５００…電話システム。
【図１】
2008109282.tif 000003
【図２】
2008109282.tif 000004
【図３】
2008109282.tif 000005
【図４】
2008109282.tif 000006
【図５】
2008109282.tif 000007
【図６】
2008109282.tif 000008
【図７】
2008109282.tif 000009
【図８】
2008109282.tif 000010
【図９】
2008109282.tif 000011